(57)【特許請求の範囲】
【請求項１】
室外機の吹出し口を除く外面を遮熱シートで覆うように構成された室外機の遮熱シート取付構造であって、
複数の遮熱シート固定具が前記室外機に磁着される磁石を内装した取付金具と、立設金具とを介して、前記室外機の外面から断熱空間を隔てて離隔状態に取り付けられ、前記遮熱シートが、前記複数の遮熱シート固定具間に着脱自在に張設されるようになっており、
前記立設金具は、前記取付金具に固定される固定部と、前記遮熱シート固定具が設置される設置部と、該設置部、前記固定部間をつなぐ起立部とを備えていることを特徴とする室外機の遮熱シート取付構造。
【請求項２】
請求項１において、
前記遮熱シート固定具は、側端部に係合受部を有したベース部と、側端部に前記係合受部に係合する係合片を有した開閉カバー部とを組み合わせてなり、前記ベース部の係合受部に、前記開閉カバー部の係合片を係合させて、該開閉カバー部を前記ベース部に対し回動自在とした構造とされ、前記開閉カバー部を前記ベース部に対し回動し、折り畳んだときに、前記係合片と前記係合受部とで前記遮熱シートを挟着して係止することを特徴とする室外機の遮熱シート取付構造。
【請求項３】
請求項２において、
前記ベース部は両側端部に係合受部を備えている一方、前記開閉カバー部は、前記両係合受部に対応して、各々に係合片を備えた１組の開閉バーを備えていることを特徴とする室外機の遮熱シート取付構造。
【請求項４】
請求項２または３において、
前記ベース部は、該ベース部を前記室外機に固定するためのボルトの頭部が収容されるボルト頭部収容部を備えていることを特徴とする室外機の遮熱シート取付構造。
【請求項５】
請求項２または３において、
前記ベース部は、該ベース部を前記室外機に固定するための磁石の少なくとも一部が収容される磁石収容部を備えていることを特徴とする室外機の遮熱シート取付構造。
【請求項６】
請求項１〜５のいずれか１項において、
前記吹出し口の前面に位置するとともに、吹出し方向を調整自在とした扉体を前記遮熱シートの端部より延設してなることを特徴とする室外機の遮熱シート取付構造。
【発明の詳細な説明】
【技術分野】
【０００１】
本発明は、直射日光の照射に対して室外機に取り付けられる遮熱シートの取付構造に関する。
【背景技術】
【０００２】
エアコンの室外機は、屋外に設置されるから、少なからず直射日光の照射を受けて熱せられ、加熱により、熱交換効率が低下したり、周辺環境に悪影響を及ぼしたりするおそれがある。そのため従来では、直射日光の照射を防止できるようにしたものが種々提案されている（特許文献１、２参照）。
【先行技術文献】
【特許文献】
【０００３】
【特許文献１】特開２００４−３１７０２２号公報
【特許文献２】特開平１１−１５９８０９号公報
【発明の概要】
【発明が解決しようとする課題】
【０００４】
しかしながら、特許文献１のものは、アルミニウム系の積層発泡シートで形成した蓋体を室外機の天面に被せるだけの取付構造であるため、着脱は簡単であるが、風で飛ばされるおそれがある。また、特許文献２のものは、室外機の天面に、所定の空間ができるように固定具を介して屋根を取り付けるものであるが、固定具は室外機本体にビス止めする構造であるため、取り外しが面倒であるし、後付けの場合、室外機にビス孔が開けられるため、そのビス孔から錆が発生するなどの劣化が早まるおそれもある。
【０００５】
このように、上記いずれの遮熱対策も、室外機に対する遮熱シートの取付構造に関して問題があった。
【０００６】
本発明は、このような問題を考慮して提案されたものであり、その目的は、室外機に対して遮熱シートをしっかりと取り付けできるとともに、着脱を容易にでき、かつ遮熱シート固定具の取り付けによって室外機が損傷することのない、室外機の遮熱シート取付構造を提供することにある。
【課題を解決するための手段】
【０００７】
上記目的を達成するために、請求項１に記載の室外機の遮熱シート取付構造は、室外機の吹出し口を除く外面を遮熱シートで覆うように構成された室外機の遮熱シート取付構造であって、複数の遮熱シート固定具が前記室外機に磁着される磁石を内装した取付金具と、立設金具とを介して、室外機の外面から断熱空間を隔てて離隔状態に取り付けられ、遮熱シートが、複数の遮熱シート固定具間に着脱自在に張設されるようになっており、立設金具は、取付金具に固定される固定部と、遮熱シート固定具が設置される設置部と、該設置部、固定部間をつなぐ起立部とを備えていることを特徴とする。
【０００８】
請求項２に記載の室外機の遮熱シート取付構造は、遮熱シート固定具は、側端部に係合受部を有したベース部と、側端部に前記係合受部に係合する係合片を有した開閉カバー部とを組み合わせてなり、ベース部の係合受部に、開閉カバー部の係合片を係合させて、該開閉カバー部をベース部に対し回動自在とした構造とされ、開閉カバー部をベース部に対し回動し、折り畳んだときに、係合片と係合受部とで遮熱シートを挟着して係止することを特徴とする。
【０００９】
請求項３に記載の室外機の遮熱シート取付構造は、ベース部は両側端部に係合受部を備えている一方、開閉カバー部は、両係合受部に対応して、各々に係合片を備えた１組の開閉バーを備えていることを特徴とする。
【００１０】
請求項４に記載の室外機の遮熱シート取付構造は、ベース部は、該ベース部を前記室外機に固定するためのボルトの頭部が収容されるボルト頭部収容部を備えていることを特徴とする。
【００１１】
請求項５に記載の室外機の遮熱シート取付構造は、ベース部は、該ベース部を室外機に固定するための磁石の少なくとも一部が収容される磁石収容部を備えていることを特徴とする。
【００１３】
請求項６に記載の室外機の遮熱シート取付構造は、吹出し口の前面に位置するとともに、吹出し方向を調整自在とした扉体を前記遮熱シートの端部より延設してなることを特徴とする。
【発明の効果】
【００１４】
請求項１に記載の室外機の遮熱シート取付構造によれば、遮熱シートを張設する遮熱シート固定具が室外機に磁石を用いて取り付けられる構造となっているため、室外機に対して遮熱シートをしっかりと取り付けできるとともに、着脱を容易にでき、かつ遮熱シート固定具の取り付けによって室外機が損傷することもない。
【００１５】
また、遮熱シートが遮熱シート固定具に対して着脱自在であるため、遮熱シートを取り外す必要があるとき、遮熱シート固定具を室外機に取り付けたままにして、遮熱シートだけを取り外すこともできる。さらに、遮熱シート固定具が立設金具を介して、室外機の外面から断熱空間を隔てて離隔状態に取り付けられるため、室外機の天面と遮熱シートとの間に熱がこもらず風通しをよくすることができる。
【００１６】
もちろん、室外機は遮熱シートによって直射日光の照射から保護されるので、室外機が熱せられることを防止でき、エネルギー効率を高めることができる。また、室外機周辺に熱気が漂うこともなく、周辺環境への悪影響を少なくすることができる。
【００１７】
請求項２に記載の室外機の遮熱シート取付構造によれば、遮熱シート固定具が遮熱シートを挟着する構造であるため、遮熱シートを風などで外れないようにしっかりと固定できる。また、開閉カバー部の回動操作により着脱自在とした構造であるため、現場において、簡単に遮熱シートの取り付けや、取り付けのやり直しをすることができ、遮熱シートの取り付けの調節を迅速、簡易に行える。
【００１８】
請求項３に記載の室外機の遮熱シート取付構造によれば、１つのベース部に対して、各々に係合片を備えた１組の開閉バーを備えた構造となっているため、隣設される遮熱シートの各側端部を挟着固定することができる。
【００１９】
請求項４に記載の室外機の遮熱シート取付構造によれば、ベース部が、ベース部を室外機に固定するためのボルトの頭部が収容されるボルト頭部収容部を備えているため、必要なボルトをボルト頭部収容部に収容させた状態で施工現場や取付位置まで運ぶことができ、施工を迅速に行える。このボルトは、たとえば遮熱シート固定具を種々の金具を介して室外機に取り付ける際に、その金具に固定するために用いられる。
【００２０】
請求項５に記載の室外機の遮熱シート取付構造によれば、ベース部がベース部を室外機に固定するための磁石の少なくとも一部が収容される磁石収容部を備えているため、その磁石で室外機に固定することもできるし、他の金具を介して取り付ける際に、その金具に磁石で固定することもできる。
【００２２】
請求項６に記載の室外機の遮熱シートの取付構造によれば、吹出し口からの送風の吹出し方向を調整自在とした扉体を遮熱シートの端部より延設しているため、熱風の吹出し方向を調節でき、室外機自体の持つ熱気の低減とともに、熱風による周辺への悪影響も少なくすることができる。
【図面の簡単な説明】
【００２３】
【図１】（ａ）は本発明の一実施形態に係る遮熱シート取付構造で遮熱シートが取り付けられた室外機の側面図、（ｂ）は同正面図である。
【図２】同遮熱シート取付構造の要部平面図である。
【図３】（ａ）は図２のＸ１−Ｘ１線矢視断面図、（ｂ）は図２のＸ２−Ｘ２線矢視断面図である。
【図４】同遮熱シート取付構造に用いられる遮熱シート固定具の説明図であり、（ａ）はベース部の部分斜視図、（ｂ）は開閉カバー部の部分斜視図である。
【図５】ベース部に開閉カバー部を組み合わせた状態の遮熱シート固定具の動作説明図であり、（ａ）は開閉カバー部が開状態にあるときの縦断面図、（ｂ）は同閉状態の縦断面図である。
【図６】（ａ）は同遮熱シート取付構造の他の使用態様を示す側面図、（ｂ）は部分拡大縦断面図である。
【図７】本発明の他の実施形態に係る遮熱シート取付構造の説明図であり、（ａ）は同遮熱シート取付構造の要部平面図、（ｂ）は（ａ）のＸ３−Ｘ３線矢視断面図である。
【図８】（ａ）は本発明の遮熱シート取付構造の他の使用態様の一例を示した平面図、（ｂ）は同正面図である。
【発明を実施するための形態】
【００２４】
以下に、本発明の実施の形態について、添付図面を参照しながら説明する。
【００２５】
以下に示す実施形態は、エアコンの室外機３に遮熱シート１を取り付けるための取付構造を示したものであり、それに用いられる遮熱シート１としては、屋根に設置される遮熱シート１を使用できる。具体的には、柔軟性、伸縮性を有した、太陽熱を反射して遮断・遮熱する合成樹脂シートを用いることが望ましく、たとえば、太陽熱等を反射して遮断・遮熱する銀色等に着色した樹脂糸材を縦横に編んで形成した織物シートを好適に使用できる。
【００２６】
図１（ａ）（ｂ）に示したように、室外機３は略直方体形状をなし、その前面３ａには熱風を吹き出す吹出し口３ｂが設けられている。また、室外機３の天面３ｃおよび前面３ａのうちの吹出し口３ｂを除く部位には、遮熱シート１が外面から断熱空間を隔てて、複数の遮熱シート固定具２、２、２で固定、張設されている。なお図例では、室外機３自体を風通しのよい状態にするために、室外機３は載置台４の上に設置されている。
【００２７】
遮熱シート固定具２は、挟着する遮熱シート１の端部の寸法に応じた長さ寸法のものが用いられ、本実施形態では、２枚の遮熱シート１、１を張設するために３箇所に遮熱シート固定具２、２、２が取り付けされている。
【００２８】
本実施形態では、遮熱シート固定具２は、室外機３の天面３ｃ側に取り付けされる遮熱シート１に対応して、天面３ｃの後端および前面３ａの上端に取り付けされている。これらの遮熱シート固定具２、２としては、室外機３の幅寸法とほぼ同じ寸法のものが用いられている。また、室外機３の前面３ａ側に取り付けされる遮熱シート１に対応して、前面３ａの下端に取り付けされる遮熱シート固定具２としては、吹出し口３ｂを除く前面３ａの幅寸法とほぼ同じ寸法のものが用いられている。
【００２９】
このような遮熱シート固定具２は、図１（ａ）に示したように、室外機３に対して、室外機３の外面に起立した固定具５を介して取り付けされるようになっている。
【００３０】
具体的には、この固定具５は、室外機３に磁着される磁石３２（図２、図３参照）を内装した取付金具３０と、遮熱シート固定具２を取付金具３０に連結するための折曲状の連結金具４０（立設金具）とを含んで構成されている。
【００３１】
この固定具５の詳細構造および遮熱シート固定具２の支持構造について、図２および図３（ａ）（ｂ）を参照しながら説明する。なお、図２に示した要部平面図は、図１（ａ）（ｂ）における符号Ａを付記した部位の取付構造である。
【００３２】
固定具５、５は、遮熱シート固定具２の長手方向の両端部が支持されるように、それに応じた室外機３の部位（図２の例では図１（ｂ）に示した室外機の天面の左端部）に取り付けされる。
【００３３】
取付金具３０は、本体３１が平面視矩形状のパン状体であり、その本体３１の開口３１ａを下方にした状態で用いられ、本体３１の内部には磁石３２が収容され、本体３１の内底面（使用状態における天井部）に接着剤等で固定されている。また、本体３１の底板部３１ｂの中央にはリベット３３用の挿通孔３１ｃが開設されている。
【００３４】
磁石３２は、中央がくり抜かれた略矩形のドーナツ状であり、平面視外形が取付金具３０の本体３１の内寸よりやや小さく、高さ寸法が本体３１の深さ寸法とほぼ同一である。
【００３５】
一方、連結金具４０（立設金具）は、取付金具３０に固定するための固定部４１と、遮熱シート固定具２を設置するための設置部４２と、それらをつなぐ起立部４３とを備えている。
【００３６】
固定部４１にはリベット３３止め用の挿通孔４１ａが開設され、設置部４２にはボルト１５止め用の挿通孔４２ａが開設されている。また、起立部４３は、遮熱シート１を取り付けるにあたり室外機３との間において断熱空間を稼ぐために所定の長さ寸法を有している。遮熱シート１をどの程度の離隔状態に保持するかは設置態様によって異なるため、高さ寸法の異なる種々の連結金具４０を、一定の大きさの取付金具３０に組み合わせて対応すればよい。
【００３７】
連結金具４０は、その固定部４１と取付金具３０の本体３１の底板部３１ｂとがリベット３３止めされることで、起立固定されている。また、磁石３２には中央開口３２ａが形成されているため、本体３１に磁石３２を収容固定した状態で取付金具３０を連結金具４０と連結できるようになっている。
【００３８】
また、遮熱シート固定具２自体の具体的な構造については後述するが、遮熱シート固定具２は、そのボルト頭部収容部１１Ａに頭部１５ａが収容されたボルト１５が連結金具４０の設置部４２にナット１６により螺合され、遮熱シート固定具２の長手方向の他端においても同様に連結金具４０の設置部４２にボルト１５止めされて、支持される。なお、符号１７はワッシャである。
【００３９】
ついで、遮熱シート固定具２の本体構造について、図４、図５を参照しながら説明する。
【００４０】
本実施形態で使用される遮熱シート固定具２は、図４（ａ）（ｂ）に示すように、１つのベース部１０（図４（ａ）参照）と、同一形状の１組の開閉バー２０ａよりなる開閉カバー部２０（図４（ｂ）参照。図４（ｂ）には１部材のみ図示）とを組み合わせてなる。
【００４１】
遮熱シート固定具２は、上述したように遮熱シート１の端部（辺縁部）を固定する部材であり、上述したように、遮熱シート１の寸法に合わせて長尺のものを用いることが望ましいが、遮熱シート１の辺縁部を複数の部材で部分的に固定できるように、短尺のものを用いてもよい。たとえば、短尺の遮熱シート固定具を固定具５とセットにして用いてもよい。なお、遮熱シート固定具２は押出成形等で形成すればよい。
【００４２】
ベース部１０は、図４（ａ）に示すように、幅方向の両側端部１０ａ、１０ａに鍔板片１２、１２を有した凹溝体を備え、その凹溝体の凹溝部（ボルト頭部収容部１１Ａ）の上側に形成された凸条部の両外壁部１１ａ、１１ａには、幅方向に延びる両係合受部１３、１３が形成されている。
【００４３】
係合受部１３は、鍔板片１２にほぼ平行に延び、途中に上側に突出した折曲部１３ｂを備えた折曲板片よりなり、その開放側の端部には、開閉バー２０ａと係合するための円柱状の支軸部１３ａが形成されている。
【００４４】
また、開閉バー２０ａは、図３（ｂ）に示すように、平板部２１と、平板部２１の側端部より湾曲するように延びた係合片２２と、平板部２１の他の側端部より、係合片２２とは反対の方向にわずかに折曲して延びた操作片２３とを備えている。
【００４５】
係合片２２と平板部２１との折曲部の内側には、ベース部１０の係合受部１３の支軸部１３ａを係合するための軸受け凹部２２ｂが形成され、係合片２２の本体部２２ａの先端部には、さらに内側に巻き込むように折曲された、平板部２１にほぼ平行な挟着片２２ｃが形成されている。
【００４６】
開閉バー２０ａの係合片２２の軸受け凹部２２ｂと、ベース部１０の係合受部１３の支軸部１３ａとが係合することで、図５（ａ）（ｂ）に示すように、開閉バー２０ａはベース部１０に対し回動自在に取り付けられた状態となる。
【００４７】
開閉バー２０ａが開いた状態（図５（ａ）参照）では、係合片２２の本体部２２ａはベース部１０の鍔板片１２にほぼ平行な状態にあり、係合片２２と鍔板片１２との間には、遮熱シート１を挿入するのに十分な間隙Ｓが形成されている。
【００４８】
操作片２３を手で持ち開閉バー２０ａを回動させて折り畳むと（図５（ｂ）参照）、係合片２２の本体部２２ａがベース部１０の鍔板片１２に対して傾斜した状態となる一方、挟着片２２ｃが鍔板片１２に対して面接触（圧接）する状態となる。
【００４９】
このような開閉バー２０ａの開閉による間隙Ｓの消滅（縮小）と生成（拡大）の動作により、遮熱シート１の挟着による取り付けと、取り外しとができるようになっている。
【００５０】
図５（ｂ）に示すように、開閉バー２０ａが折り畳まれると、遮熱シート１は、ベース部１０の係合受部１３の支軸部１３ａにヒンジ結合された開閉バー２０ａの係合片２２の挟着片２２ｃと、ベース部１０の鍔板片１２との間に挟着され、その挟着（圧接）によって開閉バー２０ａは閉止する。つまり、係合片２２と係合受部１３とで、遮熱シート１を鍔板片１２に対して押圧した状態で固定する取付構造となっている。
【００５１】
また、開閉バー２０ａが閉止した状態では、ベース部１０の係合受部１３の折曲部１３ｂから支軸部１３ａまでの部位が、開閉バー２０ａの係合片２２の裏側に密接する。このように、折曲部１３ｂによって係合受部１３自体が補強されるだけでなく、開閉バー２０ａが閉止した状態での係合片２２の強度も維持される。
【００５２】
開閉バー２０ａが閉止すると、ベース部１０の鍔板片１２、係合受部１３および開閉バー２０ａの係合片２２で囲まれた空間は、遮熱シート１の出入口が塞がれて、遮熱シート固定具の長手方向に連通する空洞部となる。この空洞部に余剰の遮熱シートが収容される。
【００５３】
また、ベース部１０の凹溝部は、ボルト１５の頭部１５ａを収容するためのボルト頭部収容部１１Ａを構成する。このボルト頭部収容部１１Ａの長手方向に沿った開口１１ｂは、両鍔板片１２、１２が延びて開口幅が溝幅よりも狭くなっており、装着されたボルト１５が軸方向に抜け出ないようになっている。ボルト１５の頭部１５ａは、ボルト頭部収容部１１Ａの長手方向の端部側の開口１１ｃより挿入、装着される。なお、ボルト頭部収容部１１Ａのボルト頭部収容幅は、図例のように、ボルト１５の頭部１５ａが回り止めされる幅寸法とすることが望ましい。
【００５４】
遮熱シート固定具２は、上述したように、ボルト頭部収容部１１Ａに頭部１５ａが収容されたボルト１５で、連結金具４０の設置部４２にナット１６で固定されるようになっている。
【００５５】
このような遮熱シート固定具２を室外機３の３箇所に設置することで、図１（ａ）（ｂ）に示すように遮熱シート１を張設して、室外機３の外面を覆うことができる。こうして、室外機３は遮熱シート１によって直射日光の照射から保護されるので、室外機３が熱せられることを防止でき、エネルギー効率を高めることができる。また、遮熱シート１の熱遮断効果により室外機３周辺に熱気が漂うこともなく、周辺環境への悪影響を少なくすることができる。
【００５６】
また、遮熱シート固定具２が室外機３に磁石３２で取り付けられる構造となっているため、室外機３に対して遮熱シート１をしっかりと取り付けできるとともに、着脱を容易にでき、かつ遮熱シート固定具２の取り付けによって室外機３が損傷することもない。
【００５７】
さらに、遮熱シート固定具２が遮熱シート１を挟着する構造であるため、遮熱シート１を風などで外れないようにしっかりと固定できる。また、開閉バー２０ａの回動操作により着脱自在とした構造であるため、現場において、簡単に遮熱シート１の取り付けや、取り付けのやり直しをすることができ、遮熱シート１の取り付けの調節を迅速、簡易に行える。
【００５８】
また、本実施形態では、遮熱シート固定具２のベース部１０が、ベース部１０を室外機３に固定するためのボルト１５の頭部１５ａが収容されるボルト頭部収容部１１Ａを備えているため、必要なボルト１５をボルト頭部収容部１１Ａに収容させた状態で施工現場や取付位置まで運ぶことができ、施工を迅速に行える。
【００５９】
また風が強い日などには、たとえば図６（ａ）の側面図に示すように、遮熱シート１を遮熱シート固定具２に取り付けたまま、さらにその遮熱シート固定具２も固定具５に取り付けたまま、固定具５、遮熱シート固定具２および遮熱シート１を一体としたまま、一箇所に集めた状態に磁着させておいてもよい。
【００６０】
また、図６（ｂ）の拡大断面図に示すように、背面に近い位置に取り付けた遮熱シート固定具２と連結金具４０の連結部位をワイヤ６で室外機３の背板にビスで固定して、飛散しないようにしておいてもよい。ワイヤ６は、取付金具３０または遮熱シート固定具２に取り付けるようにしてもよい。
【００６１】
さらに、上述したように、遮熱シート１が遮熱シート固定具２に対して着脱自在な構成であるため、風が強いときなど、遮熱シート１を取り外す必要があるとき、遮熱シート固定具２を室外機３に取り付けたままにして、遮熱シート１だけを取り外すこともできる。
【００６２】
なお、上述した遮熱シート取付構造では、固定具５が連結金具４０を含む構成としたが、連結金具４０を用いずに、遮熱シート固定具２を直接取付金具３０にボルト止めして、室外機３の外面から大きく離隔しない状態に遮熱シート１を張設するようにしてもよい。
【００６３】
ついで、本発明に係る遮熱シート取付構造の他の実施形態について、図７（ａ）（ｂ）を参照しながら説明する。
【００６４】
図７（ａ）（ｂ）は、図１と同様の位置に遮熱シート１を配設する場合の、他の取付構造の例を示す図であり、図７（ａ）は、図１（ａ）（ｂ）における符号Ａを付記した部位に相当する部位の取付構造である。
【００６５】
この遮熱シート固定具２は、図１、図２に示したような固定具５を用いず、磁石１８のみによって室外機３に固定される。
【００６６】
この遮熱シート固定具２としては、図２、図３に示したものと同一のものを利用することができるが、本実施形態では、遮熱シート固定具２の凹溝部が磁石収容部１１Ｂを構成する。磁石収容部１１Ｂには磁石１８の一部が収容され、その磁石１８の本体部１８ｂが室外機３の上面に直接取り付けられるようになっている。
【００６７】
磁石１８は、磁石収容部１１Ｂに収容される連結部１８ａと、その下方に一体化された平面視略矩形の本体部１８ｂとを備えている。磁石１８は、その連結部１８ａを磁石収容部１１Ｂの長手方向の端部側の開口１１ｃより挿入、装着される。
【００６８】
このように、磁石１８を遮熱シート固定具２に直接取り付けた構造によれば、遮熱シート取付構造をより簡易化でき、遮熱シート１の着脱も楽に行うことができる。また、磁石１８をドーナツ状にする必要がないため、磁着力を強力にすることができる。なお、断熱空間を十分にとりたい場合には、高さ寸法の大きい磁石１８を用いればよい。
【００６９】
また、このように遮熱シート固定具２に磁石１８を取り付けたものを、図１、図２に示した固定具５の連結金具４０の設置部４２に、ボルト止めの代わりに磁着により固定するようにしてもよく、そうすることで広い断熱空間を確保することができる。
【００７０】
上述の２実施形態は遮熱シート１を室外機３の天面３ｃおよび前面３ａに取り付ける構成としたが、側面３ｄにも同様の取付構造で遮熱シート１を取り付けるようにしてもよい。
【００７１】
つぎに、このような遮熱シート取付構造の他の使用態様について、図８（ａ）（ｂ）を参照しながら説明する。
【００７２】
この室外機３には、遮熱シート１が、図１と同様の固定具５および遮熱シート固定具２を用いて取り付けられているが、さらに前面３ａ側の遮熱シート１の吹出し口３ｂ側の端部に、吹出し方向を調整自在とした扉体５０が延設されている。
【００７３】
この扉体５０は硬質の合成樹脂等で製されており、遮熱シート１の端部に対して連結材５１を介して回動自在に連結されている。連結材５１としては軟質の合成樹脂材を用いればよく、たとえば扉体５０に接着され、遮熱シート１には面ファスナー（不図示）で着脱自在に取り付けられるようにすればよい。
【００７４】
また、扉体５０の上端には角度調節棒５２が配されており、その一方の端部が扉体５０に回動自在に取り付けられ、他方の端部が室外機３の前面の上端に取り付けられた遮熱シート固定具２に固定される。この角度調節棒５３は遮熱シート固定具２に対し適所に固定できるようになっており、この角度調節棒５２を遮熱シート固定具２の長手方向の種々の位置で固定することで、扉体５０を室外機３の前面に対し所望の角度で固定することができ、その結果、吹出し口３ｂからの送風の吹出し方向を調整することができる。
【００７５】
室外機３には遮熱シート１が取り付けてあるため、扉体５０を室外機３に直接取り付ける必要がなく、遮熱シート取付構造を利用して扉体５０を取り付けることができる。このように、開閉角度の調節が可能な扉体５０によって吹出し方向を調整できるため、遮熱シート１による室外機３周辺への熱気除去効果とあいまって、室外機３周辺のたとえば草木への熱風による悪影響も除去することができる。
【００７６】
なお、図８の例では扉体５０として硬質のものを用いたが、遮熱シート１を吹出し口方向に延出し、その延出部に枠材を取り付けて扉体５０を形成するようにしてもよい。
【００７７】
また、室外機３の側端部（図８（ｂ）における左側）に扉体５０を設けてもよいし、上下方向に開閉する扉体５０を設けてもよい。
【００７８】
また、扉体５０は、遮熱シート１に直接取り付ける構造としなくてもよく、遮熱シート固定具２または固定具５を介して取り付けるようにしてもよい。
【符号の説明】
【００７９】
１          遮熱シート
２          遮熱シート固定具
３          室外機
３ｂ        吹出し口
５          固定具
１０        ベース部
１０ａ      側端部
１１Ａ      ボルト頭部収容部
１１Ｂ      磁石収容部
１２        鍔板片
１３        係合受部
１３ａ      支軸部
１３ｂ      折曲部
１５        ボルト
１５ａ      頭部
１６        ナット
１８        磁石
２０        開閉カバー部
２０ａ      開閉バー
２１        平板部
２２        係合片
２２ａ      本体部
２２ｂ      軸受け凹部
２２ｃ      挟着片
２３        操作片
３０        取付金具
３２        磁石
４０        連結金具（立設金具）
４１        固定部
４２        設置部
４３        起立部
５０        扉体
【図１】
0005630918.tif 000002
【図２】
0005630918.tif 000003
【図３】
0005630918.tif 000004
【図４】
0005630918.tif 000005
【図５】
0005630918.tif 000006
【図６】
0005630918.tif 000007
【図７】
0005630918.tif 000008
【図８】
0005630918.tif 000009